(57)【要約】【課題】  モードおよびガードインターバルを迅速かつ確実に設定・更新でき、通常の受信動作への復帰が可能なデジタル放送受信装置を提供する。【解決手段】  Ａ／Ｄ変換器出力ＡＤＯと回路設定のモードに相当する有効シンボル期間長遅延した遅延メモリ出力ＭＯとの相関値は、回路設定のガードインターバル期間の移動平均および絶対値加算が施される。絶対値加算出力Ｏａｂｓは、三角波ピーク値検出回路５０４とピーク値比較回路５０６とにより最大ピーク値が検出される。レベル判定回路５０２は、絶対値加算出力Ｏａｂｓが閾値を超えるか否かを判定する。モード／ガードインターバル設定回路５０８は、回路設定のモード・ガードインターバルが、受信信号のモード・ガードインターバルに一致するか否かを判定し、絶対値加算出力Ｏａｂｓが閾値を超えたことに応じて設定を確定させ、閾値以下であることに応じて設定を初期化する。【選択図】        図３
2005286635.tif 000002
【特許請求の範囲】
【請求項１】
複数の有効シンボル期間長と複数のガード期間長との組合せによって特定される複数の直交周波数多重分割伝送方式の受信信号を受信することができるデジタル放送受信装置であって、
直交検波後の同相軸信号および直交軸信号を受けて前記複数の有効シンボル期間長のいずれかに相当する期間の遅延を行なう遅延手段と、
前記同相軸信号および直交軸信号と遅延後の前記同相軸信号および直交軸信号との相関を検出する相関検出手段と、
前記相関検出手段の出力を受け、前記複数のガード期間長のいずれかに相当する期間の移動平均処理を出力する移動平均手段と、
前記移動平均手段の出力の絶対値和を出力する絶対値加算手段と、
前記絶対値加算手段の出力値の最大ピーク値を検出するピーク値検出手段と、
前記ピーク値検出手段の出力に応じて、前記遅延手段の遅延量と前記移動平均手段の移動平均処理を行なう期間を指定するための設定が、前記受信信号の有効シンボル期間長およびガード期間長に一致するか否かを判定し、前記判定の結果に応じて前記設定を更新する判定手段とを備え、
前記判定手段は、
前記絶対値加算手段の出力値が所定の閾値を超えるか否かを判定して、判定結果信号を出力する出力値レベル判定手段と、
前記絶対値加算手段の出力値が前記所定の閾値を超えたことを示す前記判定結果信号に応じて、前記設定を確定させ、前記絶対値加算手段の出力値が前記所定の閾値以下であることを示す前記判定結果信号に応じて、前記設定を初期化する設定手段とを含む、デジタル放送受信装置。
【請求項２】
複数の有効シンボル期間長と複数のガード期間長との組合せによって特定される複数の直交周波数多重分割伝送方式の受信信号を受信することができるデジタル放送受信装置であって、
直交検波後の同相軸信号および直交軸信号を受けて前記複数の有効シンボル期間長のいずれかに相当する期間の遅延を行なう遅延手段と、
前記同相軸信号および直交軸信号と遅延後の前記同相軸信号および直交軸信号との相関を検出する相関検出手段と、
前記相関検出手段の出力を受け、前記複数のガード期間長のいずれかに相当する期間の移動平均処理を出力する移動平均手段と、
前記移動平均手段の出力の絶対値和を出力する絶対値加算手段と、
前記絶対値加算手段の出力値の最大ピーク値を検出するピーク値検出手段と、
前記ピーク値検出手段の出力に応じて、前記遅延手段の遅延量と前記移動平均手段の移動平均処理を行なう期間を指定するための設定が、前記受信信号の有効シンボル期間長およびガード期間長に一致するか否かを判定し、前記判定の結果に応じて前記設定を更新する判定手段と、
前記絶対値加算手段の出力値および前記設定に基づいて、前記受信信号のシンボル同期を確立するシンボル同期手段とを備え、
前記シンボル同期手段は、シンボル同期が確立しているか否かを指示するシンボル同期検出信号を出力し、
前記判定手段は、シンボル同期が確立したことを指示する前記シンボル同期検出信号に応じて、前記設定を確定させ、シンボル同期が確立していないことを指示する前記シンボル同期検出信号に応じて、前記設定を初期化する設定手段を含む、デジタル放送受信装置。
【請求項３】
複数の有効シンボル期間長と複数のガード期間長との組合せによって特定される複数の直交周波数多重分割伝送方式の受信信号を受信することができるデジタル放送受信装置であって、
直交検波後の同相軸信号および直交軸信号を受けて前記複数の有効シンボル期間長のいずれかに相当する期間の遅延を行なう遅延手段と、
前記同相軸信号および直交軸信号と遅延後の前記同相軸信号および直交軸信号との相関を検出する相関検出手段と、
前記相関検出手段の出力を受け、前記複数のガード期間長のいずれかに相当する期間の移動平均処理を出力する移動平均手段と、
前記移動平均手段の出力の絶対値和を出力する絶対値加算手段と、
前記絶対値加算手段の出力値の最大ピーク値を検出するピーク値検出手段と、
前記ピーク値検出手段の出力に応じて、前記遅延手段の遅延量と前記移動平均手段の移動平均処理を行なう期間を指定するための設定が、前記受信信号の有効シンボル期間長およびガード期間長に一致するか否かを判定し、前記判定の結果に応じて前記設定を更新する判定手段と、
前記絶対値加算手段の出力値および前記設定に基づいて、前記受信信号のシンボル同期を確立するシンボル同期手段と、
前記シンボル同期手段の出力に応じて、前記受信信号を時間領域から周波数領域に変換する変換手段と、
前記変換手段から得られる変換後の前記受信信号に基づいて、前記受信信号のフレーム同期を確立するフレーム同期手段とを備え、
前記フレーム同期手段は、フレーム同期が確立しているか否かを指示するフレーム同期検出信号を出力し、
前記判定手段は、フレーム同期が確立したことを指示する前記フレーム同期検出信号に応じて、前記設定を確定させ、フレーム同期が確立していないことを指示する前記フレーム同期検出信号に応じて、前記設定を初期化する設定手段を含む、デジタル放送受信装置。
【請求項４】
複数の有効シンボル期間長と複数のガード期間長との組合せによって特定される複数の直交周波数多重分割伝送方式の受信信号を受信することができるデジタル放送受信装置であって、
直交検波後の同相軸信号および直交軸信号を受けて前記複数の有効シンボル期間長のいずれかに相当する期間の遅延を行なう遅延手段と、
前記同相軸信号および直交軸信号と遅延後の前記同相軸信号および直交軸信号との相関を検出する相関検出手段と、
前記相関検出手段の出力を受け、前記複数のガード期間長のいずれかに相当する期間の移動平均処理を出力する移動平均手段と、
前記移動平均手段の出力の絶対値和を出力する絶対値加算手段と、
前記絶対値加算手段の出力値の最大ピーク値を検出するピーク値検出手段と、
前記ピーク値検出手段の出力に応じて、前記遅延手段の遅延量と前記移動平均手段の移動平均処理を行なう期間を指定するための設定が、前記受信信号の有効シンボル期間長およびガード期間長に一致するか否かを判定し、前記判定の結果に応じて前記設定を更新する判定手段と、
前記絶対値加算手段の出力値および前記設定に基づいて、前記受信信号のシンボル同期を確立するシンボル同期手段と、
前記シンボル同期手段の出力に応じて、前記受信信号を時間領域から周波数領域に変換する変換手段と、
前記変換手段から得られる変換後の前記受信信号に基づいて、前記受信信号のフレーム同期を確立するフレーム同期手段とを備え、
前記シンボル同期手段は、シンボル同期が確立しているか否かを指示するシンボル同期検出信号を出力するシンボル同期検出手段を含み、
前記フレーム同期手段は、フレーム同期が確立しているか否かを指示するフレーム同期検出信号を出力するフレーム同期検出手段を含み、
前記判定手段は、
前記絶対値加算手段の出力値が所定の閾値を超えるか否かを判定して、判定結果信号を出力する出力値レベル判定手段と、
前記絶対値加算手段の出力値が前記所定の閾値を超えたことを示す前記判定結果信号、シンボル同期が確立したことを指示する前記シンボル同期検出信号およびフレーム同期が確立したことを指示する前記フレーム同期検出信号のいずれか１つが入力されたことに応じて、前記設定を確定させる設定手段とを含む、デジタル放送受信装置。
【請求項５】
前記設定手段は、前記絶対値加算手段の出力値が前記所定の閾値以下であることを示す前記判定結果信号、シンボル同期が確立していないことを指示する前記シンボル同期検出信号およびフレーム同期が確立していないことを指示する前記フレーム同期検出信号とが入力されたことに応じて、前記設定を初期化する、請求項４に記載のデジタル放送受信装置。
【請求項６】
複数の有効シンボル期間長と複数のガード期間長との組合せによって特定される複数の直交周波数多重分割伝送方式の受信信号を受信することができるデジタル放送受信装置であって、
直交検波後の同相軸信号および直交軸信号を受けて前記複数の有効シンボル期間長のいずれかに相当する期間の遅延を行なう遅延手段と、
前記同相軸信号および直交軸信号と遅延後の前記同相軸信号および直交軸信号との相関を検出する相関検出手段と、
前記相関検出手段の出力を受け、前記複数のガード期間長のいずれかに相当する期間の移動平均処理を出力する移動平均手段と、
前記移動平均手段の出力の絶対値和を出力する絶対値加算手段と、
前記絶対値加算手段の出力値の最大ピーク値を検出するピーク値検出手段と、
前記ピーク値検出手段の出力に応じて、前記遅延手段の遅延量と前記移動平均手段の移動平均処理を行なう期間を指定するための設定が、前記受信信号の有効シンボル期間長およびガード期間長に一致するか否かを判定し、前記判定の結果に応じて前記設定を更新する判定手段と、
前記絶対値加算手段の出力値および前記設定に基づいて、前記受信信号のシンボル同期を確立するシンボル同期手段とを備え、
前記シンボル同期手段は、シンボル同期が確立しているか否かを指示するシンボル同期検出信号を出力するシンボル同期検出手段を含み、
前記判定手段は、
前記絶対値加算手段の出力値が所定の閾値を超えるか否かを判定して、判定結果信号を出力する出力値レベル判定手段と、
前記絶対値加算手段の出力値が前記所定の閾値を超えたことを示す前記判定結果信号およびシンボル同期が確立したことを指示する前記シンボル同期検出信号のいずれか１つが入力されたことに応じて、前記設定を確定させ、前記絶対値加算手段の出力値が前記所定の閾値以下であることを示す前記判定結果信号およびシンボル同期が確立していないことを指示する前記シンボル同期検出信号に応じて、前記設定を初期化する設定手段とを含む、デジタル放送受信装置。
【請求項７】
複数の有効シンボル期間長と複数のガード期間長との組合せによって特定される複数の直交周波数多重分割伝送方式の受信信号を受信することができるデジタル放送受信装置であって、
直交検波後の同相軸信号および直交軸信号を受けて前記複数の有効シンボル期間長のいずれかに相当する期間の遅延を行なう遅延手段と、
前記同相軸信号および直交軸信号と遅延後の前記同相軸信号および直交軸信号との相関を検出する相関検出手段と、
前記相関検出手段の出力を受け、前記複数のガード期間長のいずれかに相当する期間の移動平均処理を出力する移動平均手段と、
前記移動平均手段の出力の絶対値和を出力する絶対値加算手段と、
前記絶対値加算手段の出力値の最大ピーク値を検出するピーク値検出手段と、
前記ピーク値検出手段の出力に応じて、前記遅延手段の遅延量と前記移動平均手段の移動平均処理を行なう期間を指定するための設定が、前記受信信号の有効シンボル期間長およびガード期間長に一致するか否かを判定し、前記判定の結果に応じて前記設定を更新する判定手段と、
前記絶対値加算手段の出力値および前記設定に基づいて、前記受信信号のシンボル同期を確立するシンボル同期手段と、
前記シンボル同期手段の出力に応じて、前記受信信号を時間領域から周波数領域に変換する変換手段と、
前記変換手段から得られる変換後の前記受信信号に基づいて、前記受信信号のフレーム同期を確立するフレーム同期手段とを備え、
前記フレーム同期手段は、フレーム同期が確立しているか否かを指示するフレーム同期検出信号を出力するフレーム同期検出手段を含み、
前記判定手段は、
前記絶対値加算手段の出力値が所定の閾値を超えるか否かを判定して、判定結果信号を出力する出力値レベル判定手段と、
前記絶対値加算手段の出力値が前記所定の閾値を超えたことを示す前記判定結果信号およびフレーム同期が確立したことを指示する前記フレーム同期検出信号のいずれか１つが入力されたことに応じて、前記設定を確定させ、前記絶対値加算手段の出力値が前記所定の閾値以下であることを示す前記判定結果信号およびフレーム同期が確立していないことを指示する前記フレーム同期検出信号に応じて、前記設定を初期化する設定手段とを含む、デジタル放送受信装置。
【請求項８】
前記出力値レベル判定手段は、少なくとも１つの前記所定の閾値を含む、請求項１および４〜７のいずれかに記載のデジタル放送受信装置。
【発明の詳細な説明】
【技術分野】
【０００１】
この発明は、デジタル放送受信装置に関し、より特定的には、地上波デジタル放送の復調において直交周波数分割多重（ＯＦＤＭ：Orthogonal Frequency Division Multiplexing）伝送方式の受信信号の有効シンボル期間長およびガード期間長を判定する復調部に関する。
【背景技術】
【０００２】
近年、移動体端末向けのデジタル音声放送や、地上系のデジタルテレビ放送において、ＯＦＤＭ伝送方式が注目されている。
【０００３】
このＯＦＤＭ伝送方式は、伝送するデジタルデータで互いに直交する多数の副搬送波（以下、サブキャリアとも称する）を変調し、それらの変調波を多重して伝送する方式である。ＯＦＤＭ方式は、使用するサブキャリアの数が数百〜数千と多くなると、各々の変調波のシンボル周期が極めて長くなるため、マルチパス干渉の影響を受けにくいという特徴を有している。
【０００４】
図１２は、ＯＦＤＭ変調信号を説明するための波形図である。
【０００５】
図１２を参照して、ＯＦＤＭ伝送方式では、伝送データを数百〜数千のサブキャリアに分散して変調することから、各サブキャリアの変調シンボルレートは極めて低くなり、１シンボル期間は極めて長くなる。
【０００６】
さらに、有効シンボル期間の前にガード期間（以下、ガードインターバルとも称する）を設定することにより、マルチパス干渉の影響を効果的に除去することができる。
【０００７】
図１２に示すように、ガードインターバルＧ２は有効シンボル期間（Ｓ２＋Ｇ２’）の後半の部分Ｇ２’を巡回的に複写して形成する。マルチパス干渉の遅延時間がガード期間内であれば、復調時に有効シンボル期間の信号のみを復調することで、遅延した隣接シンボルによる符号間干渉を防ぐことができる。
【０００８】
日本方式地上デジタルＴＶ放送の場合、有効シンボル期間長は３種類ある。有効シンボル期間長をサブキャリア数で表わすと、モード１が２０４８であり、モード２が４０９６であり、モード３が８１９２である。
【０００９】
また、１つの有効シンボル期間に施される高速フーリエ変換（ＦＦＴ：Fast Fourier Transform）の周波数帯域は、いずれのモードにおいても８．１９２ＭＨｚに設定されている。この周波数帯域は、基本サブキャリア周波数にサブキャリア数を乗じたものであることから、各モードの基本サブキャリア周波数は、モード１、モード２、モード３でそれぞれ、４ｋＨｚ、２ｋＨｚ、１ｋＨｚとなる。したがって、モード１、モード２、モード３の各有効シンボル期間長はそれぞれ、２５０μｓ、５００μｓ、１ｍｓとなる。
【００１０】
また、ガード期間長に関しては４種類ある。ガード期間長のことを以降ガードインターバル長と称すると、ガードインターバル長は有効シンボル期間長の１／４、１／８、１／１６、１／３２の４種類である。
【００１１】
受信されたＯＦＤＭ変調信号を正しく復調するためには、ガードインターバルをその長さに合せて削除し、また有効シンボル期間長に合せたＦＦＴ（高速フーリエ変換）を行なう必要がある。このため、いずれのモードおよびガードインターバルの組合せでＯＦＤＭ変調信号が伝送されているかが不明の場合には、正しく信号を復調できるように受信側ではまず信号の伝送モードを識別判定する必要がある（例えば、特許文献１参照）。
【００１２】
図１３は、有効シンボル期間長およびガードインターバル長の判定回路を備えた従来のガードインターバル相関回路の構成を示すブロック図である。なお、以下において、有効シンボル期間長およびガードインターバル長の判定回路を、モード／ガードインターバル判定回路とも称する。
【００１３】
図１３を参照して、入力端子６０３には、チューナによって受信され、直交復調回路、Ａ／Ｄ変換器（いずれも図示せず）を経由して同相検波軸信号（Ｉ信号）と直交検波軸信号（Ｑ信号）とが入力される。
【００１４】
キャリア同期部６０４は、送信キャリア周波数と受信キャリア周波数とのキャリア間隔の２分の１以下の誤差を補正する。
【００１５】
ガードインターバル相関回路６０６は、Ｉ信号およびＱ信号を受けてモードおよびガードインターバルの判定を行なうモード／ガードインターバル判定回路７００と、モード／ガードインターバル判定回路７００の出力を受けてシンボル期間を検出しシンボルパルスを出力するシンボル同期部７０２と、モード／ガードインターバル判定回路７００およびシンボル同期部７０２の出力を受けてクロック同期処理を行なうクロック同期部７０４とを含む。
【００１６】
モード／ガードインターバル判定回路７００は、Ｉ信号およびＱ信号を受けてガードインターバルの相関を検出するガードインターバル相関検出部８００と、ガードインターバル相関検出部８００の出力に応じて現在の設定が受信信号のモードおよびガードインターバルと一致しているかを判定し、回路のモードおよびガードインターバルの設定を行なうモード／ガードインターバル判定／設定部９００とを備える。
【００１７】
ガードインターバル相関検出部８００は、有効シンボル期間だけ信号遅延を行なう遅延メモリ８０２と、複素乗算演算により遅延前後の信号の相関をとる相関器８０４と、ガード期間幅の平均値を連続して出力する移動平均回路８０６と、移動平均回路８０６の出力を正の値に変換し加算する絶対値加算回路８０８とを含む。
【００１８】
モード／ガードインターバル判定／設定部９００は、絶対値加算回路８０８からの出力を受けて三角波のピーク値を検出する三角波ピーク値検出回路９０２と、複数のモードおよびガードインターバルの組合せに対応する複数のピーク値を比較して最大ピーク値を検出するピーク値比較回路９０４と、最大ピーク値を示すモードおよびガードインターバルの組合せを選出することにより、モードおよびガードインターバルの設定を行なうモード／ガードインターバル設定回路９０６とを含む。モード／ガードインターバル設定回路９０６が出力する信号は、端子９０８を介して各ブロックに与えられるとともに、シンボル同期部７０２およびクロック同期部７０４に与えられる。
【００１９】
図１４は、図１３のガードインターバル相関回路６０６の動作を説明するための動作波形図である。
【００２０】
図１４を参照して、図示しないＡ／Ｄ変換器から与えられる信号ＡＤＯは、各有効シンボル期間Ｓ１，Ｓ２，・・・の先頭に、各々ガードインターバルＧ１，Ｇ２，・・・が付加されている。ガードインターバルＧ１，Ｇ２，・・・は、図１３で示したように、有効シンボル期間Ｓ１，Ｓ２，・・・の最後尾のＧ１’，Ｇ２’，・・・をそれぞれ複写したものである。
【００２１】
したがって、遅延メモリ８０２によって有効シンボル期間遅延させると、遅延メモリ出力ＭＯに示すように、遅延後の信号のガードインターバルＧ１，Ｇ２，・・・の出力タイミングと遅延前の有効シンボル機関の部分Ｇ１’，Ｇ２’，・・・とがそれぞれ一致する。ＧｎとＧｎ’（ｎは自然数）とは複写関係にあるので、この期間における信号の相関は高くなる。一方、他の期間においては、ＯＦＤＭ信号は、図１４に示すように、ノイズ性の信号であるので相関は低くなる。
【００２２】
このため、図１４に示すように、移動平均出力のＩ信号およびＱ信号である信号Ｉａｖ，Ｑａｖと絶対値加算回路８０８の出力信号である信号Ｏａｂｓとは、ガードインターバルＧ１，Ｇ２，・・・の開始タイミングから次第に変化し、有効シンボル期間終了のタイミングでピーク値をとる。
【００２３】
移動平均出力Ｉａｖ，Ｑａｖは、キャリア同期部６０４へ供給される。また、絶対値加算出力Ｏａｂｓは、シンボル同期部７０２、クロック同期部７０４および三角波ピーク値検出回路９０２にそれぞれ供給される。
【００２４】
ここで、移動平均処理および絶対値加算処理について説明する。
【００２５】
図１５〜図１８は、移動平均処理を説明するための波形図である。
【００２６】
図１５を参照して、遅延メモリ８０２の遅延量が有効シンボル期間に等しい場合には、相関器出力にガードインターバルの間パルス信号が生ずる。移動平均回路８０６は、設定されたガードインターバルに相当する期間の相関器出力を平均化して累積加算する。したがって、期間Ａ１で示すように、相関器出力の値が低い場合には、移動平均および絶対値加算出力は低い値となる。そして、期間Ａ２のように、期間の半分程度において相関器出力が高い値を含む場合には、移動平均および絶対値加算出力は、中間の値となる。さらに、期間Ａ３のように、相関器出力のパルス幅と移動平均処理期間とが一致する場合には、移動平均および絶対値加算出力はピーク値をとる。
【００２７】
なお、絶対値加算は周波数オフセットに対処するために行なわれている。
【００２８】
図１６を参照して、遅延メモリ８０２に設定された遅延量が有効シンボル期間よりも小さい場合について説明する。この場合の具体例として、受信信号がモード２であり、回路設定がモード１である場合があてはまる。遅延メモリ８０２の遅延量は、回路設定のモードに対応する有効シンボル期間の大きさに設定されることから、この場合の遅延量は、本来遅延すべき期間よりも短くなる。
【００２９】
したがって、図１６に示すように、Ａ／Ｄ変換器出力（ＡＤＯ）の有効シンボル期間Ｓ２の後半部にある期間Ｇ２’の位置に対して、遅延メモリ出力（ＭＯ）のガードインターバルＧ２が手前に来てしまい、両信号のガードインターバルは全く一致しない。結果として、相関器出力には、全く相関が検出されず、回路設定のモードが不適切であると判断される。
【００３０】
なお、図示は省略するが、遅延メモリ８０２に設定された遅延量が有効シンボル期間よりも大きい場合においても同様に、Ａ／Ｄ変換器出力（ＡＤＯ）と遅延メモリ出力（ＭＯ）との間には、全く相関が検出されない結果となる。
【００３１】
次に、図１７を参照して、遅延メモリ８０２に設定された遅延量と有効シンボル期間が等しい場合であって（受信信号のモードと回路設定のモードとが一致することに相当）、移動平均回路８０６に設定されたガードインターバルが実際のガードインターバルよりも広い場合について説明する。
【００３２】
期間Ａ１のように相関値が低い部分においては、移動平均の結果も低い値となる。期間Ａ２で示すように、一部に相関が高い期間を含む移動平均を行なうと中間的な値となり、次第に相関の高い部分を含む比率に応じて移動平均の結果も変化する。さらに、期間Ａ３に示すように、相関の高い部分を全体的に移動平均を行なう部分を含む場合は、ピーク値がつぶれたようになり、設定されたガードインターバルから実際のガードインターバルを除く期間において、一定の値に保持されることになる。
【００３３】
図１８は、移動平均回路に設定されたガードインターバルが実際のガードインターバルよりも狭い場合について説明するための波形図である。
【００３４】
図１８を参照して、期間Ａ１においては、移動平均を行なう期間のすべてで相関値が低いため、移動平均後の値も低い値となる。期間Ａ２においては、一部に相関が高い期間を含むことから、相関が高い期間を含む割合に応じて移動平均の結果が変化する。また期間Ａ３においては、すべての期間において相関が高く、移動平均の結果も高い値を保持する。このように、移動平均回路８０６に設定されたガードインターバルが実際のガードインターバルよりも狭い場合においても、絶対値加算出力Ｏａｂｓはピーク値がつぶれたような形状となる。
【００３５】
図１５〜図１８に示す絶対値加算出力Ｏａｂｓは、図１３に示す三角波ピーク値検出回路９０２へと与えられる。絶対値加算出力Ｏａｂｓは、三角波ピーク値検出回路９０２において、対応するモードおよびガードインターバルの組合せごとにピーク値が検出され、後続のピーク値比較回路９０４において、ピーク値の最大値が比較される。
【００３６】
先述のように、最大ピーク値は、受信信号のモードおよびガードインターバルと、回路設定のモードおよびガードインターバルとがそれぞれ一致した場合に現われる出力である。モードおよびガードインターバルのいずれか一方でも異なっていれば、絶対値加算出力Ｏａｂｓはほとんどピークを持たない。したがって、ピーク値比較回路９０４において最大ピーク値を検出することにより、受信信号のモードおよびガードインターバルを判定することができる。
【特許文献１】特開２００２−２０４４０５号公報
【発明の開示】
【発明が解決しようとする課題】
【００３７】
従来のデジタル放送受信装置において、図１３に示したモード／ガードインターバル判定回路は、受信信号に対して適合したモードおよびガードインターバルを判定すると、回路設定におけるモードおよびガードインターバルをそれぞれ得られた値に確定し、以降受信したＯＦＤＭ変調信号に対して受信処理を行なう。
【００３８】
しかしながら、送信側である放送局では、モードおよびガードインターバルの確定後において、ＯＦＤＭ変調信号のモードおよびガードインターバルを変更する場合がある。この場合、デジタル放送受信装置では、設定したモードおよびガードインターバルと、受信信号のモードおよびガードインターバルとが不一致となるため、ＯＦＤＭ変調信号を正確に復調することができず、通常の受信動作への復帰が困難となる。
【００３９】
また、デジタル放送受信装置が移動しながら受信を行なっているときには、受信環境の変化によって受信レベルが低下し、正常にＯＦＤＭ変調信号を受信できなくなる場合がある。この場合は、受信信号のモードおよびガードインターバルが不定となり、その後の受信処理に支障をきたすことになる。
【００４０】
このようにモードおよびガードインターバルが変更される、または不定となる場合においても通常の受信動作を維持するためには、デジタル放送受信装置において、モードおよびガードインターバルを迅速かつ正確に設定し直すことが必要となる。
【００４１】
しかしながら、従来のデジタル放送受信装置は、モードおよびガードインターバルが変更または不定となる場合を想定した構成になっていない。このため、モードおよびガードインターバルの再設定の必要性を判断する基準が明確になっておらず、早急かつ正確に対応することが困難となっていた。
【００４２】
それゆえ、この発明の目的は、モードおよびガードインターバルを迅速かつ確実に設定でき、通常の受信動作への復帰が可能なデジタル放送受信装置を提供することである。
【課題を解決するための手段】
【００４３】
この発明のある局面によれば、複数の有効シンボル期間長と複数のガード期間長との組合せによって特定される複数の直交周波数多重分割伝送方式の受信信号を受信することができるデジタル放送受信装置であって、直交検波後の同相軸信号および直交軸信号を受けて複数の有効シンボル期間長のいずれかに相当する期間の遅延を行なう遅延手段と、同相軸信号および直交軸信号と遅延後の同相軸信号および直交軸信号との相関を検出する相関検出手段と、相関検出手段の出力を受け、複数のガード期間長のいずれかに相当する期間の移動平均処理を出力する移動平均手段と、移動平均手段の出力の絶対値和を出力する絶対値加算手段と、絶対値加算手段の出力値の最大ピーク値を検出するピーク値検出手段と、ピーク値検出手段の出力に応じて、遅延手段の遅延量と移動平均手段の移動平均処理を行なう期間を指定するための設定が、受信信号の有効シンボル期間長およびガード期間長に一致するか否かを判定し、判定の結果に応じて設定を更新する判定手段とを備える。判定手段は、絶対値加算手段の出力値が所定の閾値を超えるか否かを判定して、判定結果信号を出力する出力値レベル判定手段と、絶対値加算手段の出力値が所定の閾値を超えたことを示す判定結果信号に応じて、設定を確定させ、絶対値加算手段の出力値が所定の閾値以下であることを示す判定結果信号に応じて、設定を初期化する設定手段とを含む。
【００４４】
この発明の別の局面によれば、複数の有効シンボル期間長と複数のガード期間長との組合せによって特定される複数の直交周波数多重分割伝送方式の受信信号を受信することができるデジタル放送受信装置であって、直交検波後の同相軸信号および直交軸信号を受けて複数の有効シンボル期間長のいずれかに相当する期間の遅延を行なう遅延手段と、同相軸信号および直交軸信号と遅延後の同相軸信号および直交軸信号との相関を検出する相関検出手段と、相関検出手段の出力を受け、複数のガード期間長のいずれかに相当する期間の移動平均処理を出力する移動平均手段と、移動平均手段の出力の絶対値和を出力する絶対値加算手段と、絶対値加算手段の出力値の最大ピーク値を検出するピーク値検出手段と、ピーク値検出手段の出力に応じて、遅延手段の遅延量と移動平均手段の移動平均処理を行なう期間を指定するための設定が、受信信号の有効シンボル期間長およびガード期間長に一致するか否かを判定し、判定の結果に応じて設定を更新する判定手段と、絶対値加算手段の出力値および設定に基づいて、受信信号のシンボル同期を確立するシンボル同期手段とを備える。シンボル同期手段は、シンボル同期が確立しているか否かを指示するシンボル同期検出信号を出力する。判定手段は、シンボル同期が確立したことを指示するシンボル同期検出信号に応じて、設定を確定させ、シンボル同期が確立していないことを指示するシンボル同期検出信号に応じて、設定を初期化する設定手段とを含む。
【００４５】
この発明の別の局面によれば、複数の有効シンボル期間長と複数のガード期間長との組合せによって特定される複数の直交周波数多重分割伝送方式の受信信号を受信することができるデジタル放送受信装置であって、直交検波後の同相軸信号および直交軸信号を受けて複数の有効シンボル期間長のいずれかに相当する期間の遅延を行なう遅延手段と、同相軸信号および直交軸信号と遅延後の同相軸信号および直交軸信号との相関を検出する相関検出手段と、相関検出手段の出力を受け、複数のガード期間長のいずれかに相当する期間の移動平均処理を出力する移動平均手段と、移動平均手段の出力の絶対値和を出力する絶対値加算手段と、絶対値加算手段の出力値の最大ピーク値を検出するピーク値検出手段と、ピーク値検出手段の出力に応じて、遅延手段の遅延量と移動平均手段の移動平均処理を行なう期間を指定するための設定が、受信信号の有効シンボル期間長およびガード期間長に一致するか否かを判定し、判定の結果に応じて設定を更新する判定手段と、絶対値加算手段の出力値および設定に基づいて、受信信号のシンボル同期を確立するシンボル同期手段と、シンボル同期手段の出力に応じて、受信信号を時間領域から周波数領域に変換する変換手段と、変換手段から得られる変換後の受信信号に基づいて、受信信号のフレーム同期を確立するフレーム同期手段とを備える。フレーム同期手段は、フレーム同期が確立しているか否かを指示するフレーム同期検出信号を出力する。判定手段は、フレーム同期が確立したことを指示するフレーム同期検出信号に応じて、設定を確定させ、フレーム同期が確立していないことを指示するフレーム同期検出信号に応じて、設定を初期化する設定手段を含む。
【００４６】
この発明の別の局面によれば、複数の有効シンボル期間長と複数のガード期間長との組合せによって特定される複数の直交周波数多重分割伝送方式の受信信号を受信することができるデジタル放送受信装置であって、直交検波後の同相軸信号および直交軸信号を受けて複数の有効シンボル期間長のいずれかに相当する期間の遅延を行なう遅延手段と、同相軸信号および直交軸信号と遅延後の同相軸信号および直交軸信号との相関を検出する相関検出手段と、相関検出手段の出力を受け、複数のガード期間長のいずれかに相当する期間の移動平均処理を出力する移動平均手段と、移動平均手段の出力の絶対値和を出力する絶対値加算手段と、絶対値加算手段の出力値の最大ピーク値を検出するピーク値検出手段と、ピーク値検出手段の出力に応じて、遅延手段の遅延量と移動平均手段の移動平均処理を行なう期間を指定するための設定が、受信信号の有効シンボル期間長およびガード期間長に一致するか否かを判定し、判定の結果に応じて設定を更新する判定手段と、絶対値加算手段の出力値および設定に基づいて、受信信号のシンボル同期を確立するシンボル同期手段と、シンボル同期手段の出力に応じて、受信信号を時間領域から周波数領域に変換する変換手段と、変換手段から得られる変換後の受信信号に基づいて、受信信号のフレーム同期を確立するフレーム同期手段とを備える。シンボル同期手段は、シンボル同期が確立しているか否かを指示するシンボル同期検出信号を出力するシンボル同期検出手段を含む。フレーム同期手段は、フレーム同期が確立しているか否かを指示するフレーム同期検出信号を出力するフレーム同期検出手段を含む。判定手段は、絶対値加算手段の出力値が所定の閾値を超えるか否かを判定して、判定結果信号を出力する出力値レベル判定手段と、絶対値加算手段の出力値が所定の閾値を超えたことを示す判定結果信号、シンボル同期が確立したことを指示するシンボル同期検出信号およびフレーム同期が確立したことを指示するフレーム同期検出信号のいずれか１つが入力されたことに応じて、設定を確定させる設定手段とを含む。
【００４７】
好ましくは、設定手段は、絶対値加算手段の出力値が所定の閾値以下であることを示す判定結果信号、シンボル同期が確立していないことを指示するシンボル同期検出信号およびフレーム同期が確立していないことを指示するフレーム同期検出信号とが入力されたことに応じて、設定を初期化する。
【００４８】
この発明の別の局面によれば、複数の有効シンボル期間長と複数のガード期間長との組合せによって特定される複数の直交周波数多重分割伝送方式の受信信号を受信することができるデジタル放送受信装置であって、直交検波後の同相軸信号および直交軸信号を受けて複数の有効シンボル期間長のいずれかに相当する期間の遅延を行なう遅延手段と、同相軸信号および直交軸信号と遅延後の同相軸信号および直交軸信号との相関を検出する相関検出手段と、相関検出手段の出力を受け、複数のガード期間長のいずれかに相当する期間の移動平均処理を出力する移動平均手段と、移動平均手段の出力の絶対値和を出力する絶対値加算手段と、絶対値加算手段の出力値の最大ピーク値を検出するピーク値検出手段と、ピーク値検出手段の出力に応じて、遅延手段の遅延量と移動平均手段の移動平均処理を行なう期間を指定するための設定が、受信信号の有効シンボル期間長およびガード期間長に一致するか否かを判定し、判定の結果に応じて設定を更新する判定手段と、絶対値加算手段の出力値および設定に基づいて、受信信号のシンボル同期を確立するシンボル同期手段とを備える。シンボル同期手段は、シンボル同期が確立しているか否かを指示するシンボル同期検出信号を出力するシンボル同期検出手段を含む。判定手段は、絶対値加算手段の出力値が所定の閾値を超えるか否かを判定して、判定結果信号を出力する出力値レベル判定手段と、絶対値加算手段の出力値が所定の閾値を超えたことを示す判定結果信号およびシンボル同期が確立したことを指示するシンボル同期検出信号のいずれか１つが入力されたことに応じて、設定を確定させ、絶対値加算手段の出力値が所定の閾値以下であることを示す判定結果信号およびシンボル同期が確立していないことを指示するシンボル同期検出信号に応じて、設定を初期化する設定手段とを含む。
【００４９】
この発明の別の局面によれば、複数の有効シンボル期間長と複数のガード期間長との組合せによって特定される複数の直交周波数多重分割伝送方式の受信信号を受信することができるデジタル放送受信装置であって、直交検波後の同相軸信号および直交軸信号を受けて複数の有効シンボル期間長のいずれかに相当する期間の遅延を行なう遅延手段と、同相軸信号および直交軸信号と遅延後の同相軸信号および直交軸信号との相関を検出する相関検出手段と、相関検出手段の出力を受け、複数のガード期間長のいずれかに相当する期間の移動平均処理を出力する移動平均手段と、移動平均手段の出力の絶対値和を出力する絶対値加算手段と、絶対値加算手段の出力値の最大ピーク値を検出するピーク値検出手段と、ピーク値検出手段の出力に応じて、遅延手段の遅延量と移動平均手段の移動平均処理を行なう期間を指定するための設定が、受信信号の有効シンボル期間長およびガード期間長に一致するか否かを判定し、判定の結果に応じて設定を更新する判定手段と、絶対値加算手段の出力値および設定に基づいて、受信信号のシンボル同期を確立するシンボル同期手段と、シンボル同期手段の出力に応じて、受信信号を時間領域から周波数領域に変換する変換手段と、変換手段から得られる変換後の受信信号に基づいて、受信信号のフレーム同期を確立するフレーム同期手段とを備える。フレーム同期手段は、フレーム同期が確立しているか否かを指示するフレーム同期検出信号を出力するフレーム同期検出手段を含む。判定手段は、絶対値加算手段の出力値が所定の閾値を超えるか否かを判定して、判定結果信号を出力する出力値レベル判定手段と、絶対値加算手段の出力値が所定の閾値を超えたことを示す判定結果信号およびフレーム同期が確立したことを指示するフレーム同期検出信号のいずれか１つが入力されたことに応じて、設定を確定させ、絶対値加算手段の出力値が所定の閾値以下であることを示す判定結果信号およびフレーム同期が確立していないことを指示するフレーム同期検出信号に応じて、設定を初期化する設定手段とを含む。
【００５０】
好ましくは、出力値レベル判定手段は、少なくとも１つの所定の閾値を含む。
【発明の効果】
【００５１】
この発明のある局面によれば、モードおよびガードインターバルの設定の適否を絶対値加算出力のレベルに基づいて常時判定することから、一旦設定が確定した後に設定の変更や不定が生じた場合においても、迅速かつ確実にモードおよびガードインターバルの再設定を行なうことができ、通常の受信動作に復帰することができる。
【００５２】
この発明の別の局面によれば、モードおよびガードインターバルの設定の適否を、絶対値加算出力のレベルとシンボル同期の有無とに基づいて判定することから、絶対値加算出力の一時的な変動による誤った判定を回避することができ、確実にモードおよびガードインターバルの設定を行なうことができる。
【００５３】
この発明の別の局面によれば、モードおよびガードインターバルの設定の適否を、絶対値加算出力のレベルとフレーム同期の有無とに基づいて判定することから、絶対値加算出力の一時的な変動による誤った判定を防止することができ、確実にモードおよびガードインターバルの設定を行なうことができる。
【００５４】
この発明の別の局面によれば、モードおよびガードインターバルの設定の適否を、絶対値加算出力のレベルと、シンボル同期およびフレーム同期の少なくとも１つの有無に基づいて判定することから、絶対値加算出力の一時的な変動による誤った判定を防止することができ、確実にモードおよびガードインターバルの設定を行なうことができる。
【発明を実施するための最良の形態】
【００５５】
以下において、本発明の実施の形態について図面を参照して詳しく説明する。なお、図中同一符号は同一または相当部分を示す。
【００５６】
［実施の形態１］
図１は、この発明の実施の形態に従うデジタル放送受信装置の全体構成を示す概略ブロック図である。
【００５７】
図１を参照して、デジタル放送受信装置１０００は、アンテナ（図示せず）より受信されたＲＦ信号は、チューナ１００により選局され、ＯＦＤＭ復調部１０２にそれぞれ与えられる。
【００５８】
ＯＦＤＭ復調部１０２からの復調信号は、トランスポートストリームデコーダ（以下、ＴＳデコーダとも称する）１０４に与えられ、ＭＰＥＧデコード部１１０に与えられる。すなわち、ＴＳデコーダ１０４では、トランスポートストリームデータから映像や音声などのデータストリームの抽出が行なわれる。
【００５９】
ＭＰＥＧデコード部１１０は、ＴＳデコーダ１０４から与えられたデータストリームを受けて、ランダムアクセスメモリ（以下、ＲＡＭとも称する）１１２をデータを一時蓄積するバッファとして用いることで、映像信号および音声信号へと変換する。
【００６０】
デジタル放送受信装置１０００は、さらに、データバスＢＳ１を介して、ＴＳデコーダ１０４からの信号を受けて格納するための内蔵蓄積デバイス１４８と、データバスＢＳ１を介して、内蔵蓄積デバイス１４８に蓄積されたデータに対して、所定の処理を行なって出力するための演算処理部１４４と、演算処理部１４４の演算処理におけるプログラムを記録するためのＲＯＭ１４０と、演算処理部１４４の動作のためのメモリ領域を提供するＲＡＭ１４２と、データバスＢＳ１と外部との間でデータ入出力を行なうための高速デジタルインターフェイス１４６とを備える。
【００６１】
演算処理部１４４が外部からの指示に従って内蔵蓄積デバイス１４８中に蓄積されたデータに対して所定の処理を行なうと、処理後のデータは、オンスクリーンディスプレイ（On Screen Display）処理部１３０から合成器１６０．２に与えられる。
【００６２】
合成器１６０．２は、ＭＰＥＧデコード部１１０からの出力と、オンスクリーンディスプレイ処理部１３０からの出力とを合成した後、映像出力端子１６４に与える。映像出力端子１６４からの出力は、表示部１００４に与えられる。
【００６３】
デジタル放送受信装置１０００は、さらに、内蔵蓄積デバイス１４８に蓄積されたデータに基づいて、演算処理部１４４が処理した結果のデータ等を受けて、表示部１００４において出力される映像に対する効果音などを生成して、合成器１６０．１に与えるための付加音生成器１２０と、内蔵蓄積デバイス１４８に蓄積されたデータ等に基づいて演算処理部１４４が処理したデータを受けて、音声信号を生成し、合成器１６０．１に与えるＰＣＭデコーダ１２２を備える。
【００６４】
合成器１６０．１は、ＭＰＥＧデコード部１１０からの出力と、付加音生成器１２０およびＰＣＭデコーダ１２２からの出力とを受けて、合成結果を音声出力端子１６２に与える。音声出力端子１６２に与えられた音声信号は、音声出力部１００２から音声信号として出力される。
【００６５】
なお、デジタル放送受信装置１０００は、必要に応じて、外部との間でデータ授受を行なうためのモデム１５０や、ＩＣカードからの情報を受取るためのＩＣカードインターフェイス１５２を備える構成としてもよい。
【００６６】
高速デジタルインターフェイス１４６を介して、たとえば、ホームサーバ用のＨＤＤ装置などの外部蓄積デバイス１８０や、外部入力機器１８２であるリモコン（あるいはキーボード等）とデータバスＢＳ１とが接続されている。
【００６７】
また、デジタル放送受信装置１０００は、映像出力を受けてディスプレイに表示する表示部１００４や音声出力信号を受けて音声を出力するスピーカ等の音声出力部１００２と一体化された構成で合ってもよい。
【００６８】
図２は、図１におけるＯＦＤＭ復調部１０２の構成を示すブロック図である。
【００６９】
図２を参照して、ＯＦＤＭ復調部１０２は、チューナ１００の出力をアナログ／デジタル変換するＡ／Ｄ変換器２０１と、ベースバンド信号を同相軸信号（Ｉ信号）と直交軸信号（Ｑ信号）に分離するＩ／Ｑ分離部２０２と、送信キャリア周波数と受信キャリア周波数のキャリア間隔の２分の１以下の誤差を補正するキャリア同期部２０４とを含む。
【００７０】
ＯＦＤＭ復調部１０２は、さらに、Ｉ信号、Ｑ信号を受けて所定期間遅延させ相関をとることによりガードインターバルを検出し、各ブロックへクロックや制御信号を出力するガードインターバル相関回路２０６を含む。
【００７１】
ガードインターバル相関回路２０６は、キャリア同期部２０４の出力を受けて遅延させ、遅延前後の信号の相関を見ることによりモードおよびガードインターバルを判定するモード／ガードインターバル判定回路３００と、モード／ガードインターバル判定回路３００の出力を受けてシンボル同期パルスを発生するシンボル同期部３０２と、シンボル同期部３０２の出力を受けて同期クロックを出力するクロック同期部３０４とを含む。
【００７２】
ＯＦＤＭ復調部１０２は、さらに、ガードインターバル相関回路２０６の出力する制御信号に応じたポイント数にて高速フーリエ変換を行なうＦＦＴ回路２０８と、送信キャリア周波数と受信キャリア周波数とのキャリア間隔単位の誤差を補正するＡＦＴ（Auto Frequency Tuning）回路２１０と、データフレームを検出し、制御信号を発生するフレームデコード回路２１２と、伝送路において受けた信号の歪みを補正する等化回路２１４とを含む。
【００７３】
ＯＦＤＭ復調部１０２は、さらに、送信側で施された周波数方向のインターリーブを解除する周波数デインターリーブ回路２１６と、送信側で施された時間方向のインターリーブを解除する時間デインターリーブ回路２１８と、送信側で変調方式に応じて配置されたデータを複合するデマッピング回路２２０と、送信側で施されたビット単位のインターリーブを解除するビットデインターリーブ回路２２２とを含む。
【００７４】
ＯＦＤＭ復調部１０２は、さらに、送信側で畳み込み符号化されたデータを複合するビタビ復号回路２２４と、送信側で施されたバイト単位のインターリーブを解除するバイトデインターリーブ回路２２６と、トランスポートストリーム形式に適合するようにデータの再構成を行なうＴＳ再生回路２２８と、送信側でリードソロモン符号化されたデータを復号するＲＳ復号回路２３０とを含む。
【００７５】
ＲＳ復号回路２３０は、図１に示すＴＳデコーダ１０４に対してリードソロモン復号された結果を出力する。
【００７６】
図３は、図２におけるガードインターバル相関回路２０６の構成を示すブロック図である。
【００７７】
図３を参照して、ガードインターバル相関回路２０６は、Ｉ信号およびＱ信号を受けてモードおよびガードインターバルの判定を行なうモード／ガードインターバル判定回路３００と、モード／ガードインターバル判定回路３００の出力を受けてシンボル期間を検出しシンボルパルスを出力するシンボル同期部３０２と、モード／ガードインターバル判定回路３００およびシンボル同期部３０２の出力を受けてクロック同期処理を行なうクロック同期部３０４とを含む。
【００７８】
モード／ガードインターバル判定回路３００は、Ｉ信号およびＱ信号を受けてガードインターバルの相関を検出するガードインターバル相関検出部４００と、ガードインターバル相関検出部４００の出力に応じて現在の設定が受信信号のモードおよびガードインターバルと一致しているかを判定し、回路のモードおよびガードインターバルの設定を行なうモード／ガードインターバル判定／設定部５００とを含む。
【００７９】
ガードインターバル相関検出部４００は、有効シンボル期間だけ信号遅延を行なう遅延メモリ４０２と、複素乗算演算により遅延前後の信号の相関をとる相関器４０４と、ガード期間幅の平均値を連続して出力する移動平均回路４０６と、移動平均回路４０６の出力を正の値に変換し加算する絶対値加算回路４０８とを含む。
【００８０】
モード／ガードインターバル判定／設定部５００は、絶対値加算回路４０８からの出力レベルと所定の閾値との大小を判定するレベル判定回路５０２と、レベル判定回路５０２を介して絶対値加算回路４０８の出力を受けて三角波のピーク値を検出する三角波ピーク値検出回路５０４と、複数のモードおよびガードインターバルの組合せにそれぞれ対応する複数のピーク値を比較して最大ピーク値を検出するピーク値比較回路５０６と、最大ピーク値を示すモードおよびガードインターバルの組合せを選出することによりモードおよびガードインターバルの設定を行なうモード／ガードインターバル設定回路５０８とを含む。
【００８１】
図３に示すように、本実施の形態に従うガードインターバル相関回路２０６は、図１３に示す従来のガードインターバル相関回路に対して、モード／ガードインターバル判定／設定部５００にレベル判定回路５０２を含む点でのみ異なっている。したがって、重複する回路部位についての詳細な説明は繰り返さない。
【００８２】
本実施の形態に係るＯＦＤＭ信号のモードおよびガードインターバルの判定方法は、基本的には、先述の従来のモード／ガードインターバル判定回路におけるものと同じである。すなわち、モード／ガードインターバル判定回路３００において、Ａ／Ｄ変換器出力（ＡＤＯ）と設定された遅延量を持つ遅延メモリ出力（ＭＯ）との相関を検出し、相関器出力に設定されたガードインターバルに相当する移動平均処理および絶対値加算処理を施して、現在のモードおよびガードインターバルの設定が、受信信号のモードおよびガードインターバルに一致しているかを判定することにより、回路のモードおよびガードインターバルの設定を行なう。
【００８３】
ここで、レベル判定回路５０２の動作について説明する。
【００８４】
レベル判定回路５０２は、絶対値加算回路４０８の出力と三角波ピーク値検出回路５０４の入力との間に配され、絶対値加算出力Ｏａｂｓを監視してモードおよびガードインターバルの設定の要否を判定する部位である。
【００８５】
図４は、レベル判定回路５０２の判定動作を説明するための動作波形図である。
【００８６】
図４を参照して、Ａ／Ｄ変換器出力ＡＤＯ（図４（ａ）参照）は、各有効シンボル期間Ｓ１，Ｓ２，・・・の先頭にガードインターバルＧ１，Ｇ２，・・・がそれぞれ付加されている。ガードインターバルＧ１，Ｇ２，・・・は、先述のように、有効シンボル期間Ｓ１，Ｓ２，・・・内の後半部分の期間Ｇ１’，Ｇ２’，・・・のデータを複写したものである。
【００８７】
図４（ａ）のＡ／Ｄ変換器出力ＡＤＯが図３の遅延メモリ４０２に与えられると、設定されたモードに対応する遅延量だけ遅延された遅延メモリ出力ＭＯ（図４（ｂ）参照）が出力される。
【００８８】
このとき、遅延メモリ４０２の遅延量と有効シンボル期間とが等しい場合には、遅延メモリ出力ＭＯにおけるガードインターバルＧ１，Ｇ２，・・・のデータとＡ／Ｄ変換器出力ＡＤＯにおけるガードインターバルＧ１’，Ｇ２’，・・・のデータとが一致する、このため、図示しない相関器出力は、ガードインターバルにおいて高い値となる。この相関値を移動平均及び絶対値加算処理を行なって得られる絶対値加算出力Ｏａｂｓは、図４（ｃ）に示すように、ガードインターバル開始のタイミングから増加し、Ａ／Ｄ変換器出力ＡＤＯの伝送シンボル期間終了のタイミングでピーク値をとる。この絶対値加算出力Ｏａｂｓ（図４（ｃ））は、図３のレベル判定回路５０２に与えられる。
【００８９】
ここで、レベル判定回路５０２は、予め設定されたレベルの異なる２つの閾値Ａ，Ｂを有する。図４（ｃ）では、閾値Ａが閾値Ｂよりも高いレベルに設定されている。レベル判定回路５０２は、絶対値換算出力Ｏａｂｓと閾値Ａ，Ｂとの大小を比較する。図４（ｃ）のように、遅延メモリ４０２の遅延量と有効シンボル期間とが一致しているときには、絶対値加算出力Ｏａｂｓは、閾値Ａよりも大きいピーク値を示す。図３に示すように、レベル判定回路５０２は、絶対値加算出力Ｏａｂｓが閾値Ａを超えたことを示す判定結果をモード／ガードインターバル設定回路５０８に送出する。
【００９０】
絶対値加算出力Ｏａｂｓは、レベル判定回路５０２を介して、シンボル同期部３０２およびクロック同期部３０４に与えられるとともに、三角波ピーク値検出回路５０４に与えられる。
【００９１】
モード／ガードインターバル判定／設定部５００では、三角波ピーク値検出回路５０４およびピーク値比較回路により、絶対値加算出力Ｏａｂｓのピーク値の最大値が検出され、モード／ガードインターバル設定回路５０８に送出される。モード／ガードインターバル設定回路５０８は、レベル判定回路５０２からの判定結果信号に基づいて、ピーク値の最大値を与えるモードおよびガードインターバルの組合せを回路のモードおよびガードインターバルに設定する。
【００９２】
次に、遅延メモリの遅延量と有効シンボル期間とが不一致の場合を考える。図４では、遅延メモリ出力ＭＯ（図４（ｄ）参照）の遅延量は、有効シンボル期間よりも短いとする。この場合は、先の図１６でも述べたように、遅延メモリ出力ＭＯにおけるガードインターバルＧ１，Ｇ２，・・・と有効シンボル期間のガードインターバルＧ１’，Ｇ２’，・・・とは全く一致しないことから、絶対値加算出力Ｏａｂｓ（図４（ｅ）参照）においてピークは検出されない。この絶対値加算出力Ｏａｂｓは、レベル判定回路５０２に与えられると、閾値Ａ，Ｂと比較される。図４から明らかなように、絶対値加算出力Ｏａｂｓは、閾値Ｂよりも小さい。レベル判定回路５０２は、この判定結果から、回路に設定された遅延量（有効シンボル期間長を示すモードに相当）が実際の受信信号のモードに一致していないと判定して判定結果信号を出力する。
【００９３】
この判定結果信号は、図３に示すように、モード／ガードインターバル判定／設定部５００のモード／ガードインターバル設定回路５０８に与えられる。モード／ガードインターバル設定回路５０８は、不一致を示す判定結果信号に応答して、それまでのモードおよびガードインターバルの設定を初期化する。これにより、モード／ガードインターバル判定回路３００は、再度モードおよびガードインターバルの設定を行なう。
【００９４】
最後に、遅延メモリ４０２の遅延量と受信信号の有効シンボル期間とは一致するが、移動平均回路４０８に設定されたガードインターバルが実際のガードインターバルに一致しない場合について説明する。図４では、遅延メモリ出力ＭＯ（図４（ｆ））とＡ／Ｄ変換器出力ＡＤＯとの相関値の移動平均において、設定されたガードインターバルが実際のガードインターバルよりも広い場合を示す。
【００９５】
このときの絶対値加算出力Ｏａｂｓ（図４（ｇ）参照）は、図１８にて説明したように、ピーク値がつぶれたような形状を示す。この場合においても、絶対値加算出力Ｏａｂｓは、ピーク値を持たず、その大きさは閾値Ｂよりも低い。したがって、レベル判定回路５０２は、回路に設定されたモードおよびガードインターバルが受信信号のモードおよびガードインターバルに一致しないとする判定結果信号を出力する。モード／ガードインターバル設定回路５０８は、この判定結果信号によって初期化され、再度モードおよびガードインターバルの設定を行なう。
【００９６】
以上のように、本実施の形態において、レベル判定回路５０２は、受信直後のようにモードおよびガードインターバルが未確定のときには、絶対値加算出力Ｏａｂｓと閾値Ａとを比較することによって、モードおよびガードインターバルの設定が適切か否かの一次的な判定を行なう。後段のモード／ガードインターバル設定回路５０８では、絶対値加算出力Ｏａｂｓが閾値Ａを超えたという判定結果からモード／ガードインターバルの設定が適切であることを確認すると、複数のモードおよびガードインターバルの組合せの中からピーク値が最大となるモードおよびガードインターバルを選出し、受信回路のモードおよびガードインターバルを確定する。
【００９７】
さらに、レベル判定回路５０２は、一旦モードおよびガードインターバルが確定した後においても、絶対値加算出力Ｏａｂｓのレベル判定を行なう。ここで、送信側でモードおよびガードインターバルが変更されたことなどによって、既に確定したモードおよびガードインターバルが、受信信号のモードおよびガードインターバルのいずれか一方にでも一致しなくなったときには、図４（ｅ），（ｇ）に示すように、絶対値加算出力Ｏａｂｓはピークを持たない波形となる。
【００９８】
そこで、レベル判定回路５０２は、絶対値加算出力Ｏａｂｓと閾値Ｂとを比較して、モードおよびガードインターバルの再設定の要否を判定する。絶対値加算出力Ｏａｂｓが閾値Ｂよりを下回る場合には、モードおよびガードインターバルの少なくとも一方が不一致であり、再設定の必要があると判定する。レベル判定回路５０２は、不一致を示す判定結果信号によってモード／ガードインターバル設定回路５０８を初期化し、再び設定動作を実行させる。この場合の設定動作は、モードおよびガードインターバルが未確定時の設定動作と同様に、レベル判定回路５０２において絶対値加算出力Ｏａｂｓが閾値Ａを上回ることを基準として、最大ピーク値を示すモードおよびガードインターバルが選出される。
【００９９】
一方、レベル判定回路５０２において、絶対値加算出力Ｏａｂｓが閾値Ｂよりも上回るときには、現状のままでも受信に支障がないとして、現状のモードおよびガードインターバルの設定を保持する。
【０１００】
なお、閾値Ａ，Ｂは、実験結果に基づいて設定すること、あるいはレジスタなどで可変とすることが可能である。また、図４では、閾値Ａ＞閾値Ｂとして、モードおよびガードインターバルの設定においてヒステリシスを持たせる構成としたが、動作上問題がなければ、閾値を１つとする構成としてもよい。
【０１０１】
図５は、図３のガードインターバル相関回路２０６におけるモードおよびガードインターバル判定動作を説明するためのフロー図である。
【０１０２】
図５を参照して、最初に、受信装置において、モードおよびガードインターバルの設定が行なわれる（ステップＳ０１）。たとえば、有効シンボル期間長をモード２とし、ガードインターバルを１／３２に設定されたこととする。
【０１０３】
次に、モード／ガードインターバル判定回路３００では、先述のように、ガードインターバル相関算出部４００において、Ａ／Ｄ変換器出力（ＡＤＯ）と設定された遅延量を持つ遅延メモリ出力（ＭＯ）との相関を検出し、相関器出力に設定されたガードインターバルに相当する移動平均処理および絶対値加算処理を施して、レベル判定回路５０２に与えられる。
【０１０４】
このとき、レベル判定回路５０２では、絶対値加算出力Ｏａｂｓが閾値Ａを超えたか否かの判定が行なわれる（ステップＳ０２）。
【０１０５】
ステップＳ０２において、絶対値加算出力Ｏａｂｓが閾値Ａを超えたと判定されると、判定結果信号は、モード／ガードインターバル設定回路５０８に入力される。モード／ガードインターバル設定回路５０８は、この信号に基づいて、受信信号のモードおよびガードインターバルと回路設定のモードおよびガードインターバルとが適合していると判断し、設定値を最大ピーク値が得られたモードおよびガードインターバル（すなわち、モード２およびガードインターバル長１／３２）に確定する（ステップＳ０３）。なお、以上のステップＳ０１，Ｓ０２の動作は、設定値を変更しながら絶対値加算出力Ｏａｂｓが閾値Ａを超えたことが確認されるまで繰り返し行なわれ、最適なモードおよびガードインターバルが選出される。
【０１０６】
さらに、モードおよびガードインターバルが確定した後においても、レベル判定回路５０２は、絶対値加算出力Ｏａｂｓを常時監視し、その大きさが閾値Ｂを下回るか否かの判定を行なう（ステップＳ０４）。
【０１０７】
ステップＳ０４において、絶対値加算出力Ｏａｂｓが閾値Ｂを下回ったときには、モード・ガードインターバルの設定が受信信号のそれらと一致しないとして、モード／ガードインターバル設定回路５０８を初期化し、再度モードおよびガードインターバルの設定を行なう（ステップＳ０１）。
【０１０８】
一方、ステップＳ０４において、絶対値加算出力Ｏａｂｓが閾値Ｂ以上であるときには、その後の受信に支障がないと判断して、現状のモードおよびガードインターバルの設定を維持する（ステップＳ０５）。
【０１０９】
以上のように、この発明の実施の形態１によれば、モードおよびガードインターバルの設定の適否を絶対値加算出力のレベルに基づいて常時判定することから、一旦設定が確定した後に設定の変更や不定となった場合においても、迅速かつ確実にモードおよびガードインターバルの再設定を行なうことができ、通常の受信動作に復帰することができる。
【０１１０】
［実施の形態２］
図６は、本発明の実施の形態２に従うデジタル放送受信装置に搭載されるガードインターバル相関回路の構成を示すブロック図である。
【０１１１】
図６を参照して、本実施の形態に従うガードインターバル相関回路２０６は、図１２に示す従来のガードインターバル相関回路６０６と同様の回路構成からなり、シンボル同期部３０２からの出力信号がモード／ガードインターバル設定回路５０４に入力される点においてのみ異なる。したがって、ガードインターバル相関回路２０６の詳細な説明については繰り返さない。
【０１１２】
シンボル同期部３０２は、絶対値加算出力Ｏａｂｓとモード／ガードインターバル設定回路５０８の出力とを受けると、絶対値加算出力Ｏａｂｓの最大ピーク位置の間隔と、設定されたモードおよびガードインターバルから得られるシンボル期間とを基に、シンボル同期、すなわちシンボルの境界を算出する。算出結果は、シンボルパルスとして端子３０８を介して各ブロックに供給されるとともに、クロック同期部３０４に与えられる。
【０１１３】
ここで、モード／ガードインターバル判定回路３００において、一旦モードおよびガードインターバルの設定が確定した後に、これらの組合せが変更された場合を考える。この場合は、絶対値加算出力Ｏａｂｓの波形は、図１６〜図１８に示したように、三角波が現われない、もしくは三角波のピーク値がつぶれた形状となる。このため、シンボル同期部３０２では、このような不安定な絶対値加算出力Ｏａｂｓを受けて最大ピーク位置の間隔が不安定となり、結果としてシンボル同期が外れることになる。
【０１１４】
そこで、シンボル同期部３０２は、モード／ガードインターバル設定回路５０８に対して、シンボル同期が外れたことを指示する信号を出力する。以下において、シンボル同期の確立の有無を指示する信号をシンボル同期検出信号とも称し、特に、シンボル同期が外れたことを指示するシンボル同期検出信号をシンボル同期オフ信号とも称する。モード／ガードインターバル設定回路５０８は、このシンボル同期オフ信号に応じて、それまでのモードおよびガードインターバルの設定を初期化し、再度設定動作を行なう。
【０１１５】
このように、本実施の形態では、シンボル同期の有無に基づいてモードおよびガードインターバルの設定の適否を判定することを特徴とする。これは、絶対値加算出力Ｏａｂｓのピーク値のレベルから設定の適否を判定する先の実施の形態に対して、判定に時間がかかってしまう点で不利となる。しかしながら、絶対値加算出力Ｏａｂｓのわずかな変動に対する判定誤りが起こらないため、判定精度が高いという利点を有する。
【０１１６】
図７は、図６のガードインターバル相関回路２０６におけるモード／ガードインターバル判定回路の動作を説明するためのフロー図である。
【０１１７】
図７を参照して、最初に、受信装置において、モードおよびガードインターバルの設定が行なわれる（ステップＳ１０）。先に述べたように、Ａ／Ｄ変換器出力ＡＤＯと遅延メモリ出力ＭＯとの相関値に移動平均および絶対値加算処理を施し、絶対値加算出力Ｏａｂｓの最大ピーク値を得るモードおよびガードインターバルの組合せを選出する。
【０１１８】
設定されたモードおよびガードインターバルの組合せと絶対値加算出力Ｏａｂｓとは、シンボル同期部３０２に与えられる。
【０１１９】
シンボル同期部３０２では、与えられたシンボル期間と最大ピーク位置間隔とからシンボル同期を算出する。このとき、シンボル同期部３０２は、適当な期間においてシンボル同期が保持されているか否かを判定し（ステップＳ１１）、保持されていれば、設定されたモードおよびガードインターバルを確定する（ステップＳ１２）。なお、以上のステップＳ１０，Ｓ１１の動作は、設定値を変更しながらシンボル同期が保持されていることが確認されるまで繰り返し行なわれ、最適なモードおよびガードインターバルが選出される。
【０１２０】
さらに、モードおよびガードインターバルが確定した後においても、シンボル同期部３０２は、シンボル同期が保持されているか否かの判定を行なう（ステップＳ１３）。
【０１２１】
ステップＳ１３において、適当な期間においてシンボル同期が安定しないときには、シンボル同期が外れたものと判定して、シンボル同期部３０２は、シンボル同期オフ信号を出力する。モード／ガードインターバル設定回路は、シンボル同期オフ信号によって初期化されると、再度モードおよびガードインターバルの設定を行なう（ステップＳ１０）。
【０１２２】
一方、ステップＳ１３において、適当な期間において、シンボル同期が保持されていることが確認されると、モードおよびガードインターバルの設定が適切であると判定して、現状のモードおよびガードインターバルの設定を維持する（ステップＳ１４）。
【０１２３】
以上のように、この発明の実施の形態２によれば、モードおよびガードインターバルの設定の適否を、絶対値加算出力のレベルと、シンボル同期の有無とに基づいて判定することから、絶対値加算出力の一時的な変動による誤った判定を防止することができ、確実にモードおよびガードインターバルの設定を行なうことができる。
【０１２４】
［実施の形態３］
図８は、本発明の実施の形態３に従うデジタル放送受信装置に搭載されるガードインターバル相関回路の構成を示すブロック図である。
【０１２５】
図８を参照して、本実施の形態に従うガードインターバル相関回路２０６は、図１２に示す従来のガードインターバル相関回路６０６と基本的に同じ回路構成であるが、ＦＦＴ回路２０８に接続されるフレーム同期部３１２からの出力信号がモード／ガードインターバル設定回路５０４に入力される点においてのみ異なる。したがって、ガードインターバル相関回路２０６の詳細な説明については繰り返さない。
【０１２６】
以下に、ＦＦＴ回路２０８およびフレーム同期部３１２について説明する。
【０１２７】
ＦＦＴ回路２０８は、キャリア同期部２０４から出力されたＩ信号およびＱ信号を、シンボル同期部３０２から出力されるＦＦＴ窓位置信号（図示せず）のタイミングでＦＦＴ処理し、時間領域から周波数領域の信号へと変換する。このとき、周波数軸に変換された信号には、真のデータとパイロット信号とが含まれている。なお、パイロット信号とは、伝送データのデータ構造や復調に関する情報等を含む信号である。
【０１２８】
フレーム同期部３１２は、この信号からパイロット信号の１つであるＴＭＣＣ（Transmission and Multiplexing Configuration Control）信号を抽出する。ＴＭＣＣ信号は、データの構成や各ＯＦＤＭセグメントの伝送パラメータ等の、受信装置の復調動作に必要な復調情報を伝送するための信号である。フレーム同期部３１２は、さらに、抽出したＴＭＣＣ信号に含まれる同期ワードを検出する。同期ワードが検出されると、フレームを構成する先頭のシンボルが判明するため、ＴＭＣＣ信号に含まれる各種の受信信号の情報がデコードされ、ＴＭＣＣ出力端子３１６から出力される。
【０１２９】
このとき、フレーム同期部３１２では、同期ワードが検出されたことに応じて、フレーム同期が確立したことを指示する信号がフレーム同期出力端子３１４から出力される。以下において、フレーム同期の確立の有無を指示する信号をフレーム同期検出信号とも称する。特に、フレーム同期検出信号のうち、フレーム同期の確立を指示するフレーム同期検出信号をフレーム同期オン信号とも称し、フレーム同期が外れたことを指示するフレーム同期検出信号をフレーム同期オフ信号とも称する。
【０１３０】
ここで、一旦確定したモードおよびガードインターバルが変更または不定となった場合を考える。この場合は、先に述べたように、絶対値加算出力Ｏａｂｓの波形が不安定となることから、シンボル同期部３０２から出力されるＦＦＴ窓位置信号とデータとのタイミングがずれることとなり、ＦＦＴ回路２０８の出力信号は符号間干渉などによって乱れた信号となる。
【０１３１】
したがって、フレーム同期部３１２では、パイロット信号を判別することができず、結果としてフレーム同期が外れてしまうことになる。このとき、フレーム同期部３１２のフレーム同期出力端子３１４からは、フレーム同期が外れたことを指示するフレーム同期オフ信号が出力される。
【０１３２】
このフレーム同期オフ信号は、図８に示すように、モード／ガードインターバル設定回路５０８に入力される。モード／ガードインターバル設定回路５０８は、フレーム同期オフ信号に応じて初期化される。これに応じて、モード／ガードインターバル判定回路３００は、再度モードおよびガードインターバルの設定を実行する。
【０１３３】
図９は、図８のガードインターバル相関回路２０６におけるモード／ガードインターバル判定動作を説明するためのフロー図である。
【０１３４】
図９を参照して、最初に、受信装置において、モードおよびガードインターバルの設定が行なわれる（ステップＳ２０）。詳細には、Ａ／Ｄ変換器出力ＡＤＯと遅延メモリ出力ＭＯとの相関値に移動平均および絶対値加算処理を施し、絶対値加算出力Ｏａｂｓの最大ピーク値を与えるモードおよびガードインターバルの組合せを選出して、回路のモードおよびガードインターバルとして設定する。
【０１３５】
設定されたモードおよびガードインターバルの組合せと絶対値加算出力Ｏａｂｓとは、シンボル同期部３０２に与えられる。
【０１３６】
シンボル同期部３０２では、与えられたシンボル期間と最大ピーク位置間隔とからシンボル同期を算出する。ＦＦＴ回路２０８では、Ｉ信号およびＱ信号をシンボル同期部３０２からのＦＦＴ窓位置信号に応じてＦＦＴ処理し、変換後の信号をフレーム同期部３１２に与える。
【０１３７】
フレーム同期部３１２は、与えられた信号からＴＭＣＣ信号を抽出し、これに含まれる同期ワードを検出する（ステップＳ２１）。ステップＳ２１において、同期ワードが検出されれば、フレーム同期がとれたことを指示するフレーム同期オン信号を出力する。モード／ガードインターバル設定回路５０８は、フレーム同期オン信号に応じて、モードおよびガードインターバルの設定を確定する（ステップＳ２２）。確定後の復調処理は、ステップ２２において確定されたモードおよびガードインターバルに基づいて行なわれる。
【０１３８】
一方、同期ワードが検出されなければ、フレーム同期部３１２は、フレーム同期が外れていることを指示するフレーム同期オフ信号を出力する。モード／ガードインターバル設定回路５０８は、フレーム同期オフ信号に応じて設定内容を初期化し、ステップＳ２０に戻って再びモードおよびガードインターバルの設定動作を行なう。
【０１３９】
さらに、一旦モードおよびガードインターバルが確定した後においても、フレーム同期部３１２では、フレーム同期の確立が保持されているか否かを検出して、検出結果に応じてフレーム同期オン信号またはフレーム同期オフ信号を出力する（ステップＳ２３）。
【０１４０】
モード／ガードインターバル設定回路５０８は、フレーム同期オン信号を受けると、現状のモードおよびガードインターバルの設定が適切であると判定して、その設定を保持する。一方、フレーム同期オフ信号を受けると、モードおよびガードインターバルの設定を初期化して、ステップＳ２０に戻り、再びモードおよびガードインターバルの設定を実行する。
【０１４１】
以上のように、この発明の実施の形態３によれば、モードおよびガードインターバルの設定の適否を、絶対値加算出力のレベルと、フレーム同期の有無とに基づいて判定することから、絶対値加算出力の一時的な変動による誤った判定を防止することができ、モードおよびガードインターバルの設定を正確に行なうことができる。
【０１４２】
［実施の形態４］
図１０は、本発明の実施の形態４に従うデジタル放送受信装置に搭載されるガードインターバル相関回路の構成を示すブロック図である。
【０１４３】
図１０から明らかなように、本実施の形態に係るモード／ガードインターバル判定回路３００において、モード／ガードインターバル設定回路５０８は、レベル判定回路５０２から出力される判定結果信号と、シンボル同期部３０２からのシンボル同期検出信号と、フレーム同期部３１２からのフレーム同期検出信号とが入力される構成となっている。なお、各信号の発生動作と指示する内容とについては、先の実施の形態１〜３で述べたものと同様であるため、詳細な説明は省略する。
【０１４４】
すなわち、本実施の形態では、モード／ガードインターバル設定回路５０８は、これら３つの信号に応答して、モードおよびガードインターバルの設定の適否を判定する。また、設定の確定後においても、これらの信号に応じて設定内容を初期化し、モードおよびガードインターバルの再設定を行なう。以下に、モードおよびガードインターバルの設定動作について述べる。
【０１４５】
図１１は、図１０のガードインターバル相関回路２０６におけるモード／ガードインターバル設定動作を説明するためのフロー図である。
【０１４６】
図１１を参照して、最初に、受信装置において、モードおよびガードインターバルの設定が行なわれる（ステップＳ３０）。詳細には、遅延メモリに、設定されたモードに対応する有効シンボル期間長の遅延量が与えられるとともに、移動平均処理回路に設定されたガードインターバルが与えられる。
【０１４７】
続いて、モード／ガードインターバル判定回路３００において、設定されたモードおよびガードインターバルの適否が判定される。このとき、レベル判定回路５０２は、実施の形態１で示したように、絶対値加算出力Ｏａｂｓと閾値Ａとの大小を判定して、判定結果信号をモード／ガードインターバル設定回路５０８に与える（ステップＳ３１）。
【０１４８】
モード／ガードインターバル設定回路５０８は、絶対値加算出力Ｏａｂｓが閾値Ａを超えたことを受けて、最大ピーク値を示すモードおよびガードインターバルの組合せを選出し、一次的な受信装置のモードおよびガードインターバルとして確定する（ステップＳ３２）。
【０１４９】
シンボル同期部３０２では、この確定したモードおよびガードインターバルの情報と絶対値加算出力Ｏａｂｓとに基づいて、シンボル同期を算出する（ステップＳ３３）。
【０１５０】
ステップＳ３３において、シンボル同期が安定して確保できれば、ＦＦＴ窓位置信号がＦＦＴ回路２０８に出力される。さらに、ＦＦＴ回路２０８において、ＦＦＴ窓位置信号のタイミングでＦＦＴ処理が行なわれると、フレーム同期部３１２によって変換後の信号からＴＭＣＣ信号が抽出される。このとき、抽出したＴＭＣＣ信号から同期ワードが検出される（ステップＳ３４）。
【０１５１】
フレーム同期部３１２は、同期ワードが検出されたことに応じてフレーム同期オン信号を出力する。これにより、ステップＳ３２において一次的に設定されたモードおよびガードインターバルは、最終的に受信装置のモードおよびガードインターバルとして確定する（ステップＳ３５）。
【０１５２】
ステップＳ３０〜Ｓ３４に示す一連の動作は、絶対値加算出力Ｏａｂｓが閾値Ａ以上を示し、かつシンボル同期およびフレーム同期が安定して得られるまで繰り返される。
【０１５３】
次に、以上の動作によってに確定したモードおよびガードインターバルがその後変更または不定となった場合を考える。
【０１５４】
レベル判定回路５０２は、ステップＳ３５においてモードおよびガードインターバルが確定した後においても、絶対値加算出力Ｏａｂｓのレベルを監視し、閾値Ｂとの大小を判定する（ステップＳ３６）。
【０１５５】
ステップＳ３６において、絶対値加算出力Ｏａｂｓのレベルが閾値Ｂ以上であるときには、受信処理に支障がないと判断して、現在のモードおよびガードインターバルの設定を維持する（ステップＳ３９）。
【０１５６】
一方、ステップＳ３６において、絶対値加算出力Ｏａｂｓのレベルが閾値Ｂを下回ったことが判定されると、モード／ガードインターバル設定回路５０８は、シンボル同期検出信号に基づいて、シンボル同期が安定してとれているか否かを判定する（ステップＳ３７）。このとき、シンボル同期オン信号によって、シンボル同期が適当な期間において安定していることが確認されれば、モードおよびガードインターバルの設定を維持する（ステップＳ３９）。
【０１５７】
一方、モード／ガードインターバル設定回路５０８は、シンボル同期オフ信号が入力されたときには、さらに、フレーム同期が安定してとれているか否かを判定する（ステップＳ３８）。
【０１５８】
ステップＳ３８において、フレーム同期オン信号によりフレーム同期が安定していることが確認されれば、モード／ガードインターバル設定回路５０８は、モードおよびガードインターバルの設定を維持する（ステップＳ３９）。
【０１５９】
一方、フレーム同期オフ信号によってフレーム同期が外れたことが確認されれば、モード／ガードインターバル設定回路５０８は、現状のモードおよびガードインターバルの設定を初期化して、ステップＳ３０に戻り、再度モードおよびガードインターバルの設定を行なう。
【０１６０】
以上のように、この発明の実施の形態４によれば、モードおよびガードインターバルの設定の適否を、絶対値加算出力のレベルと、シンボル同期およびフレーム同期の有無とに基づいて判定することから、絶対値加算出力の一時的な変動による誤った判定を防止することができ、より正確にモードおよびガードインターバルの設定を行なうことができる。
【０１６１】
なお、本実施の形態では、モードおよびガードインターバルの設定の適否を、レベル判定回路、シンボル同期部およびフレーム同期部からの信号の組合せに基づいて判断する構成としたが、レベル判定回路およびシンボル同期部からの信号の組合せ、またはレベル判定回路およびフレーム同期部からの信号の組合せによっても判断する構成とすることも可能である。
【０１６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６３】
【図１】本発明の実施の形態１に従うデジタル放送受信装置の全体構成を示すブロック図である。
【図２】図１におけるＯＦＤＭ復調部の構成を示すブロック図である。
【図３】図２におけるモード・ガードインターバル判定回路の構成を示すブロック図である。
【図４】レベル判定回路５０２の判定動作を説明するための動作波形図である。
【図５】図３のガードインターバル相関回路におけるモードおよびガードインターバル判定動作を説明するためのフロー図である。
【図６】本発明の実施の形態２に従うデジタル放送受信装置に搭載されるガードインターバル相関回路の構成を示すブロック図である。
【図７】図６のガードインターバル相関回路におけるモード／ガードインターバル判定回路の動作を説明するためのフロー図である。
【図８】本発明の実施の形態３に従うデジタル放送受信装置に搭載されるガードインターバル相関回路の構成を示すブロック図である。
【図９】図８のガードインターバル相関回路におけるモード／ガードインターバル判定動作を説明するためのフロー図である。
【図１０】本発明の実施の形態４に従うデジタル放送受信装置に搭載されるガードインターバル相関回路の構成を示すブロック図である。
【図１１】図１０のガードインターバル相関回路におけるモード／ガードインターバル設定動作を説明するためのフロー図である。
【図１２】ＯＦＤＭ変調信号を説明するための波形図である。
【図１３】従来のガードインターバル相関回路の構成を示すブロック図である。
【図１４】図１３のガードインターバル相関回路６０６の動作を説明するための動作波形図である。
【図１５】移動平均処理を説明するための波形図である。
【図１６】移動平均処理を説明するための波形図である。
【図１７】移動平均処理を説明するための波形図である。
【図１８】移動平均処理を説明するための波形図である。
【符号の説明】
【０１６４】
１００  チューナ、１０２  ＯＦＤＭ復調部、１０４  ＴＳデコーダ、１１０  ＭＰＥＧデコード部、１１２，１４２  ＲＡＭ、１２０  付加音生成器、１２２  ＰＣＭデコーダ、１３０  オンスクリーンディスプレイ処理部、１４０  ＲＯＭ、１４４  演算処理部、１４６  高速デジタルインターフェイス、１４８  内蔵蓄積デバイス、１５０  モデム、１５２  ＩＣカードインターフェイス、１６０．１，１６０．２  合成器、１６２  音声出力端子、１６４  映像出力端子、１８０  外部蓄積デバイス、１８２  外部入力機器、２０１  Ａ／Ｄ変換器、２０２  Ｉ／Ｑ分離部、２０４  キャリア同期部、２０６  ガードインターバル相関回路、２０８  ＦＦＴ回路、２１０  ＡＦＴ回路、２１２  フレームデコード回路、２１４  等化回路、２１６  周波数デインターリーブ回路、２１８  時間デインターリーブ回路、２２０  デマッピング回路、２２２  ビットデインターリーブ回路、２２４  ビタビ復号回路、２２６  バイトデインターリーブ回路、２２８  ＴＳ再生回路、２３０  ＲＳ復号回路、３００  モード／ガードインターバル判定回路、３０２，７０２  シンボル同期部、３０４，７０４  クロック同期部、３０８，３１０  端子、３１２  フレーム同期部、３１４  フレーム同期出力端子、３１６  ＴＭＣＣ出力端子、４００  ガードインターバル相関検出部、４０２，８０２  遅延メモリ、４０４，８０４  相関器、４０６，８０６  移動平均回路、４０８，８０８  絶対値加算回路、５００  モード／ガードインターバル判定／設定部、５０２  レベル判定回路、５０４  三角波ピーク値検出回路、５０６  ピーク値比較回路、５０８  モード／ガードインターバル設定回路、６０３  入力端子、６０４  キャリア同期部、６０６  ガードインターバル相関回路、７００  モード／ガードインターバル判定回路、８００  ガードインターバル相関検出部、９００  モード／ガードインターバル判定／設定部、９０２  三角波ピーク値検出回路、９０４  ピーク値比較回路、９０６  モード／ガードインターバル設定回路、９０８  端子、１０００  デジタル放送受信装置、１００２  音声出力部、１００４  表示部。
【図１】
2005286635.tif 000003
【図２】
2005286635.tif 000004
【図３】
2005286635.tif 000005
【図４】
2005286635.tif 000006
【図５】
2005286635.tif 000007
【図６】
2005286635.tif 000008
【図７】
2005286635.tif 000009
【図８】
2005286635.tif 000010
【図９】
2005286635.tif 000011
【図１０】
2005286635.tif 000012
【図１１】
2005286635.tif 000013
【図１２】
2005286635.tif 000014
【図１３】
2005286635.tif 000015
【図１４】
2005286635.tif 000016
【図１５】
2005286635.tif 000017
【図１６】
2005286635.tif 000018
【図１７】
2005286635.tif 000019
【図１８】
2005286635.tif 000020